(57)【特許請求の範囲】
【請求項１】
送信信号を受信する受信手段と、
該受信手段が前記送信信号を受信したことに応じて動作する報知手段と、
自己の現在位置を取得する現在位置取得手段と、
該現在位置取得手段により取得された現在位置が、前記受信手段の受信内容に含まれた指定場所情報による示される特定範囲の内側であるか否かを判断し、その判断結果に応じて前記報知手段の動作を制御する制御手段と
を備えたことを特徴とする受信装置。
【請求項２】
前記報知手段は、自己に対する呼出信号が送られてきたことを報知する着信報知手段であることを特徴とする請求項１記載の受信装置。
【請求項３】
前記報知手段は、前記受信手段の受信内容に含まれた表示情報を表示する表示手段であることを特徴とする請求項１記載の受信装置。
【請求項４】
前記制御手段は、前記判断結果に応じて、前記呼出信号の受信に応じた前記報知手段の動作を禁止することを特徴とする請求項１乃至３いずれか記載の受信装置。
【請求項５】
前記制御手段は、自己の移動に伴う前記判断結果の変化を待って、禁止されていた前記報知手段の動作を許容することを特徴とする請求項４記載の受信装置。
【請求項６】
前記特定範囲は、受信者により設定されたものであることを特徴とする請求項１乃至５いずれか記載の受信装置。
【請求項７】
前記制御手段は、前記受信内容に含まれた選択条件情報が示す選択条件に従って前記報知手段の動作を制御することを特徴とする請求項１乃至６いずれか記載の受信装置。
【請求項８】
情報を送信して特定の受信装置を呼び出す呼び出しシステムにおいて、
前記情報に、特定範囲を示す指定場所情報を付加し、
前記受信装置に、自己の現在位置が、前記指定場所情報により示された特定範囲の内側か否かを判断させ、その判断結果により異なる報知動作を行わせることを特徴とする呼び出しシステム。
【発明の詳細な説明】
【０００１】
【産業上の利用分野】
本発明は、ページング受信機等に用いて好適な受信装置及び呼び出しシステムに関する。
【０００２】
【従来の技術】
従来、ページング受信機においては、呼び出しがあったことを、呼び出し音の発生や本体の振動により報知している。また、最近では、こうした報知動作を、予め設定した時間内において禁止するＤ／Ｄ機能（Ｄｏｎ’ｔ  Ｄｉｓｔｕｒｂ  機能）を備えたものもあり、予め予定していた時間内に邪魔又は無駄となる報知が回避できるようになっている。なお、呼び出しとともに簡易なメッセージを受信するものでは、前記Ｄ／Ｄ機能の解除や操作を待ってメッセージを表示させるものが一般的である。
【０００３】
【発明が解決しようとする課題】
しかしながら、こうした従来のページング受信機にあっては、前述したＤ／Ｄ機能を用いれば、設定した時間内では呼び出し動作を禁止させることができるが、予定していない時間帯にあっては、受信者の居場所に関係なく呼び出し音が鳴ってしまうといった不具合があった。
【０００４】
本発明は、このような従来の課題に鑑みてなされたものであり、受信者の居場所に応じて、呼び出しがあったことの等の報知動作の制御が可能な受信装置及び呼び出しシステムを提供することを目的とする。
【０００５】
【課題を解決するための手段】
前記課題を解決するために、本発明の受信装置にあっては、主として、送信信号を受信する受信手段と、該受信手段が前記送信信号を受信したことに応じて動作する報知手段と、自己の現在位置を取得する現在位置取得手段と、該現在位置取得手段により取得された現在位置が、前記受信手段の受信内容に含まれた指定場所情報による示される特定範囲の内側であるか否かを判断し、その判断結果に応じて前記報知手段の動作を制御する制御手段とを備えている。
【０００６】
また、本発明の呼び出しシステムにあっては、情報を送信して特定の受信装置を呼び出す呼び出しシステムにおいて、前記情報に、特定範囲を示す指定場所情報を付加し、前記受信装置に、自己の現在位置が、前記指定場所情報により示された特定範囲の内側か否かを判断させ、その判断結果により異なる報知動作を行わせるようにした。
【０００７】
【作用】
前記受信装置において、受信手段が送信信号を受信すると、その受信に応じて報知手段が動作する。一方、報知手段の動作は制御手段によって制御されており、制御手段は、現在位置取得手段によって取得された現在位置が受信手段の受信内容に含まれた指定場所情報による示される特定範囲の内側であるか否かを判断し、その判断結果に応じて前記報知手段の動作を制御する。したがって、送信者が受信者の居場所に応じて報知手段の動作、すなわち報知の有無や方法等を変えることができる。
【０００８】
また、前記呼び出しシステムでは、受信装置に、自己の現在位置が、送信された指定場所情報により示された特定範囲の内側か否かを判断させ、その判断結果により異なる報知動作を行わせるようにしたことから、呼び出す側は、指定場所情報を送ることによって、受信装置の現在位置、つまり呼び出される側の居場所を考慮に入れた呼び出し方を行うことができる。
【０００９】
【実施例】
以下、本発明の一実施例を図にしたがって説明する。図１は本発明の受信装置に係るページング受信機を示すブロック図であって、このページング受信機は、ＣＰＵ１を中心として構成されている。ＣＰＵ１は内蔵のＲＯＭに予め設定されたプログラムデータに基づき装置全体を制御するものであるとともに、本発明の制御手段を実現している。
【００１０】
ページャー受信部２は受信手段であって、アンテナ３で受信されたＦＭ信号を復調する回路である。ここで、ページングサービス会社から送られる送信データフォーマットを図２に示す。図示したように、通常の送信データはページング受信機に個別に割り当てられている呼出番号ａと、表示情報であるメッセージデータｂとにより構成されている。また、かかる送信データのうちメッセージデータｂの部分については、送信データ毎に異なっており、一例を示すと図３の（Ａ〜Ｄ）に示したものがある。すなわち（Ａ）に示したものは、メッセージ本文ｃと位置データｄとからなるものであって、位置データｄは、さらに緯度ｘ及び経度ｙにより構成されている。なお、この位置データｄは、前記ページングサービス会社を通じ呼び出しを行うが他のページング受信機の地図上の位置を示すデータである。
【００１１】
これとは別に、図３の（Ｂ〜Ｄ）に示したものは、本発明の選択条件情報である識別コードｅと、それに続く本発明の指定場所情報である場所データｆとを有するものである。場所データｆは、さらに経度ｘと緯度ｙと半径ｒとにより構成されており、経度ｘと緯度ｙで示される地図上の座標位置（ｘ，ｙ）から半径ｒの範囲にある本発明の特定範囲を示すデータである。また、ここで示した識別コードｅは“１”〜“３”の３種類であり、識別コードｅが“１”の場合には、その後に、内容が異なる第１のメッセージ本文ｃ１と第２のメッセージ本文ｃ２が続き、識別コードｅが“２”又は“３”の場合には１つのメッセージ本文ｃが続いている。
【００１２】
また、前記ページャー受信部２には、デコーダ部４が接続されている。デコーダ部４は、ページャー受信部２を間欠的に動作させ復調された受信信号を解読するとともに、受信信号に含まれた呼出番号ａとＩＤ−ＲＯＭ５に記憶されている呼出番号とが一致するとき、すなわち受信信号が自己に対するものであるとき、一致検出信号及び受信したメッセージデータｂをＣＰＵ１に送る回路である。また、ＧＰＳ受信部６はアンテナ７が受信した衛星からのＬ１帯のＣ／Ａコードを復調する回路である。位置演算部８は、ＧＰＳ受信部６と共に本発明の現在位置取得手段を構成する回路であって、ＧＰＳ受信部６により復調されたＣ／Ａコードを解読して現在地の緯度・経度を取得してＣＰＵ１に送る回路である。
【００１３】
キー入力部９は、リセットスイッチ、表示切替スイッチ、モードスイッチ、データ入力用キー等を備えており、何れかのスイッチが操作されたとき、それぞれに対応したキー入力信号をＣＰＵ１に送出するよう構成されている。受信データメモリ１０は、受信した一定数のメッセージデータｂを随時記憶するための記憶手段であって、図２及び図３の（Ａ）に示した識別コードｅが存在しないメッセージデータｂを記憶するメモリエリアｈと、図３の（Ｂ〜Ｄ）に示した、識別コードｅが“１”，“２”，“３”であるメッセージデータｂをそれぞれ記憶するメモリエリアｉ，ｊ，ｋに分割されている。さらに、メモリエリアｊ，ｋには、記憶されたメッセージ本文ｃが未表示であることを示す未表示フラグを書き込むためのフラグ書込領域ｍがそれぞれ設けられている。
【００１４】
入力データメモリ１１は、初期状態で設定されているデータ及び使用者によって入力されたデータを記憶する記憶手段であって、図５に示すように、場所データメモリ領域ｎとＴＥＬバンクメモリ領域ｏとメッセージメモリ領域ｐとを有している。場所データメモリ領域ｎには、場所名と、それに対応する経度ｘ、緯度ｙ、半径ｒとからなる場所データ、および機能設定コードからなる１組のデータが一定数記憶されている。前記場所名は、経度ｘと緯度ｙで示される地図上の座標位置（ｘ，ｙ）から半径ｒの範囲にある本発明の特定範囲を示す地名又は任意の名称である。
【００１５】
なお、前記１組のデータは、使用者自身が入力して記憶させることも可能である。
【００１６】
また、前記機能設定コードは、電源の自動オフ（ＡＰＣ）、バイブレーターやＬＥＤやスピーカー等の着信時の報知の方法、呼び出し音の音量の大小、Ｄ／Ｄ機能等のページング受信機が有する各種の機能の設定に用いられる制御用のコードである。また、前記ＴＥＬバンクメモリ領域ｏには、名前と、それに対応する電話番号とからなる１組のデータを一定数記憶させることができ、前記メッセージメモリ領域ｐには、一定数のメッセージデータを記憶させることができる。
【００１７】
放音信号発生部１２は、ＣＰＵ１の制御の下に呼び出し音用の放音信号を発生し、それを第１の増幅回路１３に送出する回路である。第１の増幅回路１３は、送られてきた放音信号を増幅しスピーカー１４に送る回路である。スピーカー１４は送られた放音信号により動作し、呼び出し音を放音することによって、自己に対する信号の受信があったこと等を報知する。点滅パターン信号発生部１５は、ＣＰＵ１からの信号を受けて点滅パターン信号を発生し、それを第２の増幅回路１６に送出する回路である。第２の増幅回路１６は、送られてきた点滅パターン信号を増幅しＬＥＤ１７に供給する回路である。ＬＥＤ１７は、供給された点滅パターン信号により動作し、所定のパターンにて点滅することによって、自己に対する信号の受信があったことを報知する。バイブレーター１８は、ＣＰＵ１の制御の下に動作し、ページング装置本体を振動させることによって、自己に対する信号の受信があったことを報知する。すなわち、スピーカー１４、ＬＥＤ１７、バイブレーター１８が本発明の着信報知手段である。
【００１８】
キャラクタージェネレータ１９は、文字・数字に係るパターンデータを発生しそれを表示バッファ２０に送出する回路である。表示バッファ２０は表示部２１に表示すべき各種マークのパターンデータ、及び文字・数字のパターンデータがそれぞれＣＰＵ１及びキャラクタージェネレータ１９から送られてきてセットされる回路である。表示部２１は、本発明の表示手段を構成する回路であり、液晶表示パネルを備えるとともに、受信したメッセージ、及び位置データや場所名、各種モードの設定状態等を表示する回路である。なお、通常モードにおいて表示部２１に受信メッセージが表示されていないときには、受信を待機している状態であることを示すマーク、及び現在時刻を表示するようになっている。
【００１９】
次に、以上の構成からなる本実施例のページング受信機における動作を、ＣＰＵ１の処理内容の一部を示す図６〜図８のフローチャートに従って説明する。
【００２０】
すなわち、図６は、メッセージ受信処理に係る処理内容を示したものであって、ＣＰＵ１は、ページャー受信部２が受信した送信データ（図２参照）の呼出番号と、自己に割り当てられた呼出番号とが一致すると、送信データからメッセージデータｂを取り込む（ＳＡ１）。次に取り込んだメッセージデータｂに識別コードｅが付加されているか否かによって、それが通常メッセージであるか否かを判断し（ＳＡ２）、識別コードｅの無い通常のメッセージ（図２又は図３のＡに示したメッセージデータ）である場合には（ＹＥＳ）、それを受信データメモリ１０の対応するメモリエリアｈに記憶させる（ＳＡ３）。
【００２１】
しかる後、ＧＰＳ受信部６及び位置演算部８によって取得された自己の現在位置（緯度・経度）を取得し、それが入力データメモリ１１（図５参照）に記憶されたどの場所データが示す特定範囲に入るか、つまりどのデータに対応するかを検索するとともに、対応するデータに設定されている機能設定コードの制御内容に応じた方法により、自己に対する信号の受信があったことを報知させる（ＳＡ４）。なお、ここで機能設定コードが設定されていない場合には、予め設定されている所定の報知が行われる。
【００２２】
したがって、受信者は、入力データメモリ１１に、希望する場所データと機能設定コードとを記憶させておくことにより、すなわち居場所に応じた報知方法を予め設定しておくことにより、例えば、自宅にいるときには呼び出し音で、また外出しているときにはバイブレーターでというように、居場所に応じ異なる方法で報知を受けたり、あるいは報知動作を起こさせないようにしたりすることができる。よって、使い勝手がよく極めて便利である。
【００２３】
引き続きステップＳＡ５では、受信したメッセージデータに位置データｄが含まれているか否かを判断し（ＳＡ５）、含まれていない場合には（ＮＯ）、メッセージデータを表示部２１の表示パネルに表示させる（ＳＡ６）。逆に、位置データｄが含まれている場合には（ＹＥＳ）、位置データｄに対応する場所名を入力データメモリ１１から読み出し、その場所名をメッセージ本文ｃと共に表示パネルに表示させる（ＳＡ７）。これにより相手の居場所を知ることができる。なお、このとき位置データｄに対応する場所名が無いときには、位置データｄ（緯度ｘ，経度ｙ）をそのまま表示させる。
【００２４】
一方、前記ステップＳＡ２で、識別コードｅが付加されていると判断された場合には（ＮＯ）、識別コードｅの種類を判別する（ＳＡ８）。ここで識別コードｅが“１”の場合にはステップＳＡ９に進み、メッセージデータｂ（図３のＢ参照）をいったん受信データメモリ１０の対応するメモリエリアｉに記憶させた後、前述したステップＳＡ４と同様の処理にて、自己の居場所に応じた方法により、自己に対する信号の受信があったことを報知させる（ＳＡ１０）。引き続き、自己の現在位置が、受信した場所データｆが示す特定範囲の範囲内か否かを判断し、その判断結果がＹＥＳの場合には表示パネルに第１のメッセージ本文ｃ１を表示させ（ＳＡ１２）、逆にＮＯの場合には表示パネルに第２のメッセージ本文ｃ２を表示させる（ＳＡ１３）。
【００２５】
したがって、呼び出す側は、第１のメッセージ本文ｃ１と第２のメッセージ本文ｃ２に加えて、識別コードｅ及び場所データｆを送ることにより、呼び出される側の居場所が、場所データｆが示す特定範囲の範囲内のときと、範囲外のときとで異なるメッセージを送ることができる。例えば、待ち合わせの相手が時間が過ぎても現れず、相手がどこにいるかも分からない状況下においては、その相手が待ち合わせ場所の５Ｋｍ四方に居ないときには、「至急  連絡せよ」とのメッセージを送り、また５Ｋｍ四方に居るときには、「待っているから早く来い」とのメッセージを送ることができる。つまり、呼び出される側の居場所を考慮に入れたメッセージや、呼び出される側の居場所に即したより効果的なメッセージを送ることができる。
【００２６】
また、前述したステップＳＡ８にて識別コードｅが“２”の場合には、ステップＳＡ１４に進み、メッセージデータｂをいったん受信データメモリ１０の対応するメモリエリアｊに記憶させる。次に、自己の現在位置が受信した場所データｆが示す特定範囲の範囲内か否かを判断し（ＳＡ１５）、その判断結果がＹＥＳの場合には、自己の居場所に応じた方法により受信があったことを報知させた後（ＳＡ１６）、表示パネルにメッセージ本文ｃを表示させる（ＳＡ１７）。逆に前記判断結果がＮＯの場合には、受信データメモリ１０に記憶したメッセージデータｂに未表示フラグをセットする（ＳＡ１８）。
【００２７】
また、ステップＳＡ８にて識別コードｅが“３”の場合には、ステップＳＡ１９に進み、メッセージデータｂをいったん受信データメモリ１０の対応するメモリエリアｋに記憶させる。次に、自己の現在位置が受信した場所データｆが示す特定範囲の範囲外か否かを判断し（ＳＡ２０）、その判断結果がＹＥＳの場合には、前述したステップＳＡ１６、ステップ（ＳＡ１７）へ進む。逆に前記判断結果がＮＯの場合には、受信データメモリ１０に記憶したメッセージデータｂに、未表示フラグをセットする（ＳＡ２１）。従って、呼び出す側は、メッセージ本文ｃに加えて、場所データｆ及び識別コードｅを相手に送るとともに、識別コードｅに“２”又は“３”を指定すれば、呼び出される側にとって邪魔であったり迷惑であったりするような場所で、呼び出し音を出させたりメッセージを表示させたりすることを未然に防止できる。
【００２８】
次に、前述したメッセージ受信処理が行われていない場合で、かつ受信データメモリ１０に、未表示フラグのセットされたメッセージデータｂが記憶されている場合におけるＣＰＵ１の処理を図７及び図８のフローチャートに示す。すなわち図７は、未表示フラグのセットされたメッセージデータｂの中に識別コードｅが“２”であるものが存在する場合であり、その場合には、先ず自己の現在位置がメッセージデータｂの中の受信した場所データｆが示す特定範囲の範囲内か否かを判断する（ＳＢ１）。そして、かかる判断結果がＹＥＳとなった場合には、自己の居場所に応じた方法により受信があったことを報知させ（ＳＢ２）、表示パネルにメッセージ本文ｃを表示させた後（ＳＢ３）、未表示フラグをリセットするとともに（ＳＢ４）、処理を終了する。すなわち、ページング受信機が移動して、自己の現在位置がメッセージデータｂの中の場所データｆが示す特定範囲の範囲内になるのを待って、呼び出し音等で着信報知がなされ、かつ識別コードｅが“２”であるメッセージ本文ｃが表示される。
【００２９】
したがって、呼び出す側は、メッセージ本文ｃに加えて、場所データｆ及び識別コードｅを相手に送るとともに、識別コードｅに“２”を指定すれば、呼び出される側の居場所が特定範囲の範囲内であるときにだけ、換言すれば呼び出される側が特定範囲の外から内に入った時点で、相手を呼び出すとともにメッセージを表示させるようにすることができる。例えば、車で移動しているとき、事故で混雑している交差点にある程度近付いたときにだけ、情報サービスセンターからの交通情報に関するメッセージを表示させる、といったことができる。あるいは、独り暮しの人に対して、帰宅した時点で、「お帰りなさい。今日もお疲れ様でした。」などのメッセージを表示させることもできる。
【００３０】
一方、図８は、未表示フラグのセットされたメッセージデータｂの中に識別コードｅが“３”であるものが存在する場合であり、その場合には、先ず自己の現在位置がメッセージデータｂの中の場所データｆが示す特定範囲の範囲外か否かを判断する（ＳＣ１）。そして、かかる判断結果がＹＥＳとなった場合には、自己の居場所に応じた方法により受信があったことを報知させ（ＳＣ２）、表示パネルにメッセージ本文ｃを表示させた後（ＳＣ３）、未表示フラグをリセットするとともに（ＳＣ４）、処理を終了する。すなわち、ページング受信機が移動して、自己の現在位置がメッセージデータｂの中の場所データｆが示す特定範囲の範囲外になるのを待って、呼び出し音等で着信報知がなされ、かつ識別コードｅが“３”であるメッセージ本文ｃが表示される。
【００３１】
したがって、呼び出す側は、メッセージ本文ｃに加えて、場所データｆ及び識別コードｅを相手に送るとともに、識別コードｅに“３”を指定すれば、呼び出される側の居場所が特定範囲の範囲外であるときにだけ、換言すれば呼び出される側が特定範囲の内から外に出た時点で、相手を呼び出すとともにメッセージを表示させるようにすることができる。例えば、子供が塾に居る間（授業中）は、呼び出し音及びメッセージを出させず、塾から出た時点で呼び出し音を出させるとともに、「塾の前に車で待つ」等のメッセージを表示させることができる。よって、本実施例のページング受信機にあっては、呼び出す側と呼び出される側との双方にとって便利であるとともに、ページング受信機を用いた呼び出しシステムの利用範囲を拡大させることができる。
【００３２】
なお、前述した図７及び図８に示した処理は、受信データメモリ１０に、未表示フラグのセットされたメッセージデータｂが複数記憶されている場合には、並列的に行われる。また、本実施例においては、主としてページング受信機、及びページング受信機を用いた呼び出しシステムに本発明を採用した場合について説明したが、これに限らず、携帯電話機やＦＭ多重受信機等の他の通信装置、又はそれらを用いた呼び出しシステムに本発明を採用してもよい。
【００３３】
【発明の効果】
以上説明したように、本発明の受信装置においては、現在位置取得手段により自己の現在位置を取得させるとともに、制御手段により現在位置が受信手段の受信内容に含まれた指定場所情報による示される特定範囲の内側であるか否かを判断し、その判断結果に応じて報知手段の動作を制御させ、これにより、送信者が受信者の居場所に応じて報知の有無や方法等を変えることができるようにした。よって、居場所に応じた都合の良い報知動作を行わせることができ、使い勝手が向上し極めて便利である。
【００３４】
また、報知手段が、着信報知手段でありかつ呼び出し音を発生するものでは、例えば受信者の居場所に関係なく呼び出し音が鳴ってしまうことを未然に防止したり、場所に応じて報知音の音量を変えたりすることができ、例えば受信した表示情報を表示する表示手段であるものでは、居場所に応じて表示動作を制御できる。また、制御手段が、前記判断結果に応じて前述した報知手段の動作を禁止するものでは、例えば居場所に応じて邪魔な又は無駄な報知動作を防止することができるとともに、制御手段が、前記判断結果の変化を待って報知手段の動作を許容するものでは、例えば報知に都合の良い居場所に移動した時点で自動的に報知手段を動作させることができる。
【００３５】
さらに、制御手段が受信手段の受信内容に含まれた選択条件情報が示す選択条件に従って報知手段の動作を制御するものでは、送信者がより細かにその動作を制御することができる。これに加え、報知手段が表示手段であるとともに、受信手段の受信内容に複数の表示情報が含まれ、制御手段が前記判断結果に応じて複数の表示情報のいずれかを選択し表示させるものでは、送信者が相手の居場所に即した、より効果的な表示情報を相手に送ることができる。
【００３６】
また、本発明の呼び出しシステムにおいては、呼び出す側が、受信装置の現在位置、つまり呼び出される側の居場所を考慮に入れた呼び出し方ができることから、呼び出す側と呼び出される側との双方にとって便利であるとともに、呼び出しシステムの利用範囲を拡大させることが可能となる。
【図面の簡単な説明】
【図１】本発明の一実施例を示すページング受信機のブロック図である。
【図２】同実施例における送信データフォーマット図である。
【図３】図２の送信データフォーマット図に示したメッセージデータ部分の他の例を示す図である。
【図４】同実施例の受信データメモリのデータ格納構造を示す模式図である。
【図５】同実施例の入力データメモリのデータ格納構造を示す模式図である。
【図６】同実施例のメッセージ受信処理を示すフローチャートである。
【図７】同実施例の他の処理内容の一部を示すフローチャートである。
【図８】同実施例の他の処理内容の一部を示すフローチャートである。
【符号の説明】
１    ＣＰＵ
２    ページャー受信部
５    デコーダ部
６    ＧＰＳ受信部
８    位置演算部
１４    スピーカー
１７    ＬＥＤ
１８    バイブレーター
２１    表示部
【図１】
0003603382.tif 000002
【図２】
0003603382.tif 000003
【図３】
0003603382.tif 000004
【図４】
0003603382.tif 000005
【図５】
0003603382.tif 000006
【図６】
0003603382.tif 000007
【図７】
0003603382.tif 000008
【図８】
0003603382.tif 000009